(57)【特許請求の範囲】
【請求項１】
玄関収納家具本体に座板が備えられ、該座板は玄関収納家具本体から水平方向に引き出し可能であると共に、引き出し状態において戻り方向への座板の移動を阻止するロック機構が備えられた座板付き収納家具において、
前記座板の先端の上面部に凹所が設けられ、該凹所内に、前記ロック機構によるロック状態を解除するロック解除操作部が座面から上方に突出しない態様で昇降変位可能に備えられ、
座板が引き出された状態において該操作部を凹所内方に押し下げることによりロックが解除されるようになされていることを特徴とする座板付き玄関収納家具。
【請求項２】
前記凹所が、座板引き出し用の手掛け部として機能するものからなる請求項１に記載の座板付き玄関収納家具。
【請求項３】
前記ロック機構は、座板の下面側において、一端側が座板の先端側に延ばされると共に、他端側が座板の基端側に延ばされ、中間部が座板の下面部に枢着されて、各端部がシーソー状に上下するようになされたロック材を備え、
該ロック材は、座板が引き出された状態において、前記他端側の端部が下降状態となって該他端側の端部が玄関収納家具本体側に当接してロック状態を形成し、該引き出された状態において、前記ロック解除操作部を押し下げるにより、前記一端側の端部が下降するようになされて、該下降によって前記他端側の端部が上昇することにより、ロック状態が解除されるようになされている請求項１又は２に記載の座板付き玄関収納家具。
【請求項４】
前記収納家具本体のロック材当接部をカバーするカバー部が座板の先端部に垂下状態に備えられ、座板を収納家具本体に戻した状態で、カバー部が収納家具本体のロック材当接部をカバーするようになされている請求項３に記載の座板付き玄関収納家具。
【発明の詳細な説明】
【技術分野】
【０００１】
本発明は、座板付き玄関収納家具に関する。
【背景技術】
【０００２】
従来より、座板が玄関収納家具本体から水平方向に引き出し可能に備えられた座板付き収納家具が、玄関での靴の脱ぎ履きを容易にすることなどを目的として提供されているが、座板がこのような水平スライド式である場合には、安全のため、座板が引き出し状態において戻り方向に動いてしまわないように戻り方向への移動を阻止するロック機構と、該ロック機構によるロック状態を解除する解除操作部とを備えさせておく必要があり、従来の座板付き玄関収納家具では、解除操作部は、座板の下面側に備えられていた。
【特許文献１】特許第３４７５７３５号公報
【発明の開示】
【発明が解決しようとする課題】
【０００３】
しかしながら、解除操作部が座板の下面側に備えられていたのでは、解除操作部の存在がわかりにくいのみならず、引き出された座板を戻す時に、座板の下面側を手探りしたり、座板の下面側をのぞき込むようにして、解除操作部を探し出さなければならず、解除の操作がいささか厄介であるという問題がある。
【０００４】
本発明は、上記のような問題点に鑑み、引き出された座板のロック状態を容易に解除することができる座板付き玄関収納家具を提供することを課題とする。
【課題を解決するための手段】
【０００５】
上記の課題は、玄関収納家具本体に座板が備えられ、該座板は玄関収納家具本体から水平方向に引き出し可能であると共に、引き出し状態において戻り方向への座板の移動を阻止するロック機構が備えられた座板付き収納家具において、
前記座板の先端の上面部に、前記ロック機構によるロック状態を解除するロック解除操作部が備えられていることを特徴とする座板付き玄関収納家具によって解決される。
【０００６】
この座板付き玄関収納家具では、座板の先端の上面部にロック解除操作部が備えられているので、ロック解除操作部の存在を楽な姿勢で目視にて容易に知ることができ、引き出された座板のロック状態を容易に解除することができる。
【０００７】
しかも、ロック解除操作部は、座板の先端の上面部に備えられているので、ロック解除操作部に対する操作を行った手で、座板を玄関収納家具本体に戻していく操作を行うことができ、ロック状態の解除の操作と座板の戻し操作とを容易に行うことができる。
【０００８】
上記の座板付き玄関収納家具において、座板の先端の上面部に凹所が設けられ、該凹所内に前記ロック解除操作部が座面から上方に突出しない態様で昇降変位可能に備えられ、
座板が引き出された状態において該操作部を凹所内方に押し下げることによりロックが解除されるようになされているとよい。
【０００９】
この場合は、ロック解除の操作と座板の戻し操作とを、親指でロック解除操作部を押し下げながら他の指で座板を戻し方向に押していく、あるいは、人差し指と中指などでロック解除操作部を押し下げながら親指で座板を戻し方向に押していくなどというようにして行っていくことができて、操作を容易に行うことができる。
【００１０】
しかも、ロック解除操作部は、座板の先端の上面部に設けられた凹所内に座面から上方に突出しない態様で昇降変位可能に備えられているので、ロック解除操作部が、座板に座るうえでの妨げになることもない。
【００１１】
上記の凹所が、座板引き出し用の手掛け部として機能するものであるときは、引き出し用の手掛け部とロック解除操作部とを簡素な構造で座板に設けることができる。
【００１２】
上記の座板付き玄関収納家具において、ロック機構は、座板の下面側において、一端側が座板の先端側に延ばされると共に、他端側が座板の基端側に延ばされ、中間部が座板の下面部に枢着されて、各端部がシーソー状に上下するようになされたロック材を備え、
該ロック材は、座板が引き出された状態において、前記他端側の端部が下降状態となって該他端側の端部が玄関収納家具本体側に当接してロック状態を形成し、該引き出された状態において、前記ロック解除操作部を押し下げるにより、前記一端側の端部が下降するようになされて、該下降によって前記他端側の端部が上昇することにより、ロック状態が解除されるようになされているとよい。
【００１３】
この場合は、ロック状態の形成とロック状態の解除とを、ロック材のシーソー機構を利用して簡素な機構により実現することができる。
【００１４】
また、上記の座板付き玄関収納家具において、収納家具本体のロック材当接部をカバーするカバー部が座板の先端部に垂下状態に備えられ、座板を収納家具本体に戻した状態で、カバー部が収納家具本体のロック材当接部をカバーするようになされているのもよい。この場合は、当接部に対するロック材の当接の繰り返しによって当接部に当接キズが付いても、それがカバー部によって隠され、座板付き玄関収納家具の外観を良好なものに維持することができる。
【発明の効果】
【００１５】
本発明は、以上のとおりのものであるから、引き出された座板のロック状態を容易に解除することができる。
【発明を実施するための最良の形態】
【００１６】
次に、本発明の実施最良形態を図面に基づいて説明する。
【００１７】
図１〜図３に示す実施形態の座板付き玄関収納家具１において、２は家具本体、３は座板であり、座板３は、座り高さ位置において、その両サイドをレール４に保持されることによって、図３に示すように、玄関収納家具本体２から水平方向に引き出し可能に備えられ、そして、該家具１には、安全のため、図１及び図２に示すように、座板３が引き出された状態において戻り方向に移動してしまうのを阻止するロック機構５と、該ロック機構５によるロック状態を解除するロック解除操作部６とが備えられている。
【００１８】
ロック解除操作部６は、座板３の先端の上面部に備えられており、該座板３の先端の上面部には、図２（ハ）に拡大して示すように、上方に開口する凹所７が設けられ、ロック解除操作部６は、該凹所７内に座面３ａから上方に突出しない態様で昇降変位可能に備えられている。本実施形態では、凹所７は、座板３を引き出す際の手掛け部としても機能するように形成されている。
【００１９】
ロック機構５は、ロック材８を備え、該ロック材８は、図示しないリブを付けられて曲げ剛性を高められ側面視「へ」の字状に屈曲された帯状板からなっていて、座板３の下面側において、一端側８ａが座板３の先端側に延ばされると共に、他端側８ｂが座板３の基端側に延ばされ、中間部が座板３の下面部に枢着（９）されて、各端側８ａ，８ｂが枢着部９を中心にシーソー状に上下するようになされている。
【００２０】
そして、図１（イ）に示すように、座板３が引き出された状態において、前記他端側８ｂが下降し、該他端側８ｂの先端が玄関収納家具本体２の正面側１０に当接可能な状態となることでロック状態が形成されるようになされている。また、座板３が引き出された状態において、図１（ロ）に示すように、前記ロック解除操作部６を押し下げることによりロック材８の前記一端側８ａが下降するようになされて、該下降によってロック材８の前記他端側８ｂが上昇することによりロック状態が解除され、図１（ハ）に示すように、座板３を玄関収納家具本体２側に戻すことができるようになされている。
【００２１】
また、ロック解除操作部６は、図１（イ）に示すように、座板３が引き出されたロック状態において、その上面が、座板３の上面と面一ないしはほぼ面一となり、図１（ハ）に示すように、座板３が玄関収納家具本体２内に戻された状態では、凹所７内において、その上面が座板３の上面高さ位置よりも低い位置に位置するようになされており、その状態でロック解除操作部６を図１（ロ）に示す程度に押し下げて凹所７内の空間部を深くすることができるようになされている。
【００２２】
更に、枢着部９は、該枢着部９を挟むロック材８の前記他端側８ｂの重量が、前記一端側８ａの重量よりも大きくなるような位置に設けられていて、図１（イ）に示すようなロック状態が、それら８ａ，８ｂの重量差による自重付勢作用によって維持されるようになされており、また、図１（ロ）に示すようなロック解除操作部６に対する押し下げ操作は、該自重付勢作用に抗して行われるようになされており、更に、図１（ハ）に示すようなロック解除操作部６の戻り上昇動作と上昇動作後の戻り状態の維持も上記の自重付勢作用により行われるようになされている。
【００２３】
なお、これらロック状態の維持や、ロック解除操作部６の戻り上昇動作等は、上記のような自重付勢作用によることなくバネの付勢作用で行われるようにされていてもよいし、自重付勢作用とバネの付勢作用との協働作用により行われるようにされていてもよい。
【００２４】
そして、座板３の先端部には、カバー部としての幕板部３ｂが垂下状態に備えられており、図１（ハ）に示すように、座板３を収納家具本体２に戻した状態で、幕板部３ｂが収納家具本体２のロック材当接部１０をカバーして隠すようになされている。なお、座板３が引き出された状態では、収納家具本体２のロック材当接部１０は、座板３の下側に位置し、座板３によって隠される。
【００２５】
上記の座板付き玄関収納家具１では、図４（イ）〜（ハ）に示すように、座板３の先端部の上面部に備えられている凹所７内に指を差し込み、座板３を引き出していく。凹所７内のロック解除操作部６は、凹所７内に指を差し込んでいくことにより下降していき、指を凹所７内に安定の良い差し込み状態にすることができ、座板３の引き出し操作を容易にすることができる。
【００２６】
そして、図５（イ）に示すように、座板３の引き出しを終えて、図５（ロ）に示すように、凹所７内から手を引くと、ロック材８の前記他端側８ｂが下降して、該他端側８ｂの先端が玄関収納家具本体２のロック材当接部１０と正対してロック状態になり、図５（ヘ）に示すように、座板３を戻り方向に押すと、ロック材８の他端側８ｂの先端がロック材当接部１０に当接して、戻り方向への座板３の移動が阻止される。
【００２７】
なお、座板３の引き出しは、凹所７を利用することなく、幕板部３ｂの下縁等を手で掴んで引き出していくようにしてもよく、その場合でも、座板３の引き出しを終えると、ロック材８の前記他端側８ｂが自重で下降し、その先端が玄関収納家具本体２のロック材当接部１０に正対してロック状態を形成することができる。
【００２８】
そして、座板３を玄関収納家具本体２に戻すときは、図６（ト）に示すように、座板３の先端部の上面部に備えられている凹所７内に指を差し込むと、ロック材８の一端側８ａが下降し、他端側８ｂが上昇して、該他端側８ｂの先端が玄関収納家具本体２のロック材当接部１０よりも上方に位置してロックが解除される。その状態で、座板３を玄関収納家具本体２側に戻していけばよい。操作は、例えば、親指でロック解除操作部６を押し下げながら他の指で座板３を戻し方向に押していく、あるいは、人差し指と中指などでロック解除操作部６を押し下げながら親指で座板３を戻し方向に押していくなどというようにして容易に行っていくことができる。
【００２９】
このように、上記の座板付き玄関収納家具１によれば、ロック解除操作部６が座板３の先端の上面部に備えられているので、座板３を玄関収納家具本体２に戻す際に、ロック解除操作部６の存在を楽な姿勢で目視にて容易に知ることができて、引き出された座板のロック状態を容易に解除することができる。また、ロック解除操作部６に対する操作を行った手で、座板３を玄関収納家具本体２に戻していく操作を行うことができて、ロック状態の解除の操作と座板３の戻し操作とを容易に行うことができる。加えて、ロック解除操作部６は、座板３の先端の上面部に設けられた凹所７内に座面から上方に突出しない態様で昇降変位可能に備えられているので、ロック解除操作部６が、座板３に座るうえでの妨げになることもない。
【００３０】
また、座板３の先端部には、幕板部３ｂが垂下状態に備えられ、座板３を収納家具本体２内に戻した状態で、幕板部３ｂが収納家具本体２のロック材当接部１０をカバーするようになされているので、当接部１０に対するロック材８の当接の繰り返しで、該当接部１０に当接キズが付いても、それが幕板部３ｂで隠されて外に露出せず、座板付き玄関収納家具１の外観を良好なものに維持することができる。
【００３１】
以上に、本発明の実施形態を示したが、本発明はこれに限られるものではなく、発明思想を逸脱しない範囲で各種の変更が可能である。例えば、上記の実施形態では、シーソー状に動作するロック材を用いた特定構造のロック機構を採用した場合を示しているが、座板の先端の上面部に、ロック状態を解除するロック解除操作部が備えられているものであれば、その他の各種ロック機構が採用されてよい。また、ロック解除操作部が備えられる凹所は、座板引き出し用の手掛け部としての機能を奏さない、あるいは、実質的に奏さないものであってもよい。
【図面の簡単な説明】
【００３２】
【図１】実施形態の座板付き玄関収納家具を示すもので、図（イ）は座板引き出し状態におけるロック状態の断面側面図、図（ロ）は同ロック解除状態の断面側面図、図（ハ）は座板戻り状態の断面側面図である。
【図２】図（イ）は座板の平面図、図（ロ）は図（イ）のＩ−Ｉ線断面側面図、図（ハ）は図（ロ）の要部拡大図である。
【図３】図（イ）は座板付き玄関収納家具の全体側面図、図（ロ）は同家具の座板引き出し状態を示す全体側面図である。
【図４】図（イ）〜図（ハ）は、図５（ニ）〜（ヘ）と共に、座板の引き出し方法及びロック状態の形成方法を順次に示す断面側面図である。
【図５】図（ニ）〜図（ヘ）は、図４（イ）〜（ハ）と共に、座板の引き出し方法及びロック状態の形成方法を順次に示す断面側面図である。
【図６】図（ト）及び図（チ）は、ロック解除方法及び座板の戻し方法を順次に示す断面側面図である。
【符号の説明】
【００３３】
１…玄関収納家具
２…家具本体
３…座板
３ａ…座面
３ｂ…幕板部（カバー部）
５…ロック機構
６…ロック解除操作部
７…凹所
８…ロック材
８ａ…一端側
８ｂ…他端側
９…枢着部
１０…ロック材当接部
【図１】
0004781747.tif 000002
【図２】
0004781747.tif 000003
【図３】
0004781747.tif 000004
【図４】
0004781747.tif 000005
【図５】
0004781747.tif 000006
【図６】
0004781747.tif 000007